(57)【特許請求の範囲】
【請求項１】
カードが挿入されるカード挿入部と、前記カード挿入部に挿入されたカードと電気的に接続される接点部とを有する受け入れ部本体と、
電気部品を実装するために、前記接点部が結線されるプリント基板に対向する面に設けられ、前記プリント基板と電気接続する配線パターンと、
前記受け入れ部本体の投影平面内に配置され、前記受け入れ部本体を前記プリント基板に対し所定距離間隔を離した状態とするとともに、前記プリント基板に対して取り付けるための取り付け部と、
を有することを特徴とするカードコネクタ。
【請求項２】
電子機器のボディ本体と、
前記ボディ本体に支持され、電子部品を搭載するプリント基板と、
を備えた電子機器装置であって、
カードが挿入されるカード挿入部と、前記カード挿入部に挿入されたカードと電気的に接続され、前記プリント基板に結線される接点部とを有する受け入れ部本体と、電気部品を実装するために、前記プリント基板に対向する面に設けられ、前記プリント基板と電気接続する配線パターンと、前記受け入れ部本体の投影平面内に配置され、前記受け入れ部本体を前記プリント基板に対し所定距離間隔を離した状態とするとともに、前記プリント基板に対して取り付けるための取り付け部と、を有するカードコネクタを備えたことを特徴とする電子機器装置。
【発明の詳細な説明】
【０００１】
【発明の属する技術分野】
本発明は、カード挿入部と挿入されたカードと電気的に接続される接点部とを有するカードコネクタとそれを備えた電子機器装置に関する。
【０００２】
【従来の技術】
従来、画像撮影装置等の電子機器装置において画像データ等を記録するためにＩＣカード等が用いられ、この種のカードは電子機器装置に内装されたカードコネクタのカード受け入れ部本体に挿入されることで電気的な接続がなされるようになっている。このようなカードコネクタは、挿入されるカードとの干渉を避けるなどのために、支持体への取り付け部がカード受け入れ部本体の投影平面の外方、即ち、カード受け入れ部本体の側面から突出した位置に配置されたものを用いている。
【０００３】
【発明が解決しようとする課題】
しかしながら、上記のような従来の構成のカードコネクタにおいては、カードコネクタの支持体への取り付け部がカード受け入れ部本体の投影平面の外方に配置されているので、電子機器装置本体が小型化され狭いスペースに各種の部品を内装する場合、カードコネクタの取り付け部が邪魔になり、又は装置本体の小型化に障害となることがある。また、カード受け入れ部本体をプリント基板に対し所定距離間隔を離して取り付けることにより（スタンドオフという）、カード受け入れ部本体とプリント基板との間にチップ部品等を搭載する空間を形成してプリント基板の実装面積を有効に使いたいとの要請もあり、これに応える必要がある。
【０００４】
本発明は、上述した問題点を解決するためになされたものであり、電子機器装置本体の小型化にも関わらずカードコネクタの取り付け部が邪魔になることがなくなり、また、カード受け入れ部本体をプリント基板に対し所定距離間隔を離して取り付けて容易にプリント基板の実装面積を有効に使用することが可能なカードコネクタとそれを備えた電子機器装置を提供することを目的とする。
【０００５】
【課題を解決するための手段】
上記目的を達成するために請求項１の発明は、カードが挿入されるカード挿入部と、前記カード挿入部に挿入されたカードと電気的に接続される接点部とを有する受け入れ部本体と、電気部品を実装するために、前記接点部が結線されるプリント基板に対向する面に設けられ、前記プリント基板と電気接続する配線パターンと、前記受け入れ部本体の投影平面内に配置され、前記受け入れ部本体を前記プリント基板に対し所定距離間隔を離した状態とするとともに、前記プリント基板に対して取り付けるための取り付け部と、を有するカードコネクタである。
【０００６】
上記構成においては、受け入れ部本体をプリント基板に対し所定距離間隔を離して取り付けるための取り付け部が受け入れ部本体の投影平面内に配置されていて、取り付け部が外方に突出していないので、カードコネクタが搭載される周囲部材と干渉することがなく、狭いスペースであっても取り付けることができる。また、受け入れ部本体がプリント基板に対し所定距離間隔を離して取り付けられるので、プリント基板の実装面積を有効に使うことが可能となる。
【０００７】
また、請求項２の発明は、電子機器のボディ本体と、前記ボディ本体に支持され、電子部品を搭載するプリント基板と、を備えた電子機器装置であって、カードが挿入されるカード挿入部と、前記カード挿入部に挿入されたカードと電気的に接続され、前記プリント基板に結線される接点部とを有する受け入れ部本体と、電気部品を実装するために、前記プリント基板に対向する面に設けられ、前記プリント基板と電気接続する配線パターンと、前記受け入れ部本体の投影平面内に配置され、前記受け入れ部本体を前記プリント基板に対し所定距離間隔を離した状態とするとともに、前記プリント基板に対して取り付けるための取り付け部と、を有するカードコネクタを備えた電子機器装置である。
上記構成においては、上記と同等の作用が得られ、電子機器装置の小型化に寄与し得る。
【０００８】
また、この構造においては、カードコネクタとプリント基板との間の空間に電気部品を配置する取付面積を倍増することができる。
【０００９】
【発明の実施の形態】
以下、本発明を具体化した一実施形態を図面を参照して説明する。
図１（ａ）（ｂ）（ｃ）（ｄ）は本発明の画像撮影装置（電子機器装置）の一実施形態によるディジタルカメラの背面図、正面図、平面図及び側面図である。ディジタルカメラ１は、ボディ本体２と、ボディ本体２の側面に回動可能、かつ着脱自在に取り付けられる撮影レンズ部（レンズユニット）３とを備えている。ボディ本体２の背面には、撮影した画像を視認するための液晶モニター４、メインスイッチ５、撮影／再生切り替えボタン６、各種モード等切り替えボタン７が設けられ、上面にはシャッターボタン８、コマ送りボタン９が設けられ、正面にはフラッシュ１０が設けられている。撮影レンズ部３には、ズームレバー１１、撮影レンズ部取り外しレバー１２が設けられている。装置の収納時には、撮影レンズ部３を撮影レンズ１３が上方を向きボディ本体２と平行な状態とし、撮影時には、撮影レンズ部３をボディ本体２に対し９０度回動して（倒して）使用する。
【００１０】
図２（ａ）（ｂ）は装置の撮影時における正面図及び側面図である。ボディ本体２の撮影レンズ部３と対向する側面１５にＤＣ電源入力端子１６、ディジタル入／出力端子１７などの外部接続端子が配置されていて、これらの外部接続端子は、撮影レンズ部３を９０度回動した撮影時の状態で露出状態となり、収納時には非露出状態となる。
【００１１】
図３は撮影レンズ部３を取り外し、かつ、後カバーを取り外した状態でのボディ本体２の背面図、図４は図３のＡ−Ａ線断面図、図５（ａ）（ｂ）（ｃ）はそれぞれボディ本体２内に設けられるカードコネクタの上面図、正面図、及び側断面図（カード３１も示している）である。これらの図において、ボディ本体２の底面側には、回動して開閉自在な電池蓋２１が設けられ、本体内に電池収納部２２が形成されている。ボディ本体２は前キャビティ２ａと後カバー２ｂとから成り、チップ部品等の実装された硬質のプリント基板２３が前キャビティ２ａのボス部２４，２５，２６により固定されている。さらに、このプリント基板２３には、カードコネクタ（カードホルダーともいう）２７が取り付けられている。一方、後ろカバー２ｂには硬質のプリント基板５０が固定され、このプリント基板５０には前述した液晶モニター４やチップ部品等が実装される。液晶モニター４は、液晶モニター用開口４ａより露出する。
【００１２】
カードコネクタ２７は、撮影した画像データ等が記録されるコンパクトメモリカード（ＳＳＦＤＣ：以下、カードという）３１が挿入されるカード挿入部２７ａと、このカード挿入部２７ａに挿入されたカード３１と電気的に接続される接点部３０とを有する受け入れ部本体２７ｂから成る。カードコネクタ２７は、受け入れ部本体２７ｂをプリント基板２３に対し所定距離間隔を離して取り付けるための取り付け部（スタンドオフ部ともいう）２８，２９，５１，５２を有し、このうちカード挿入部側２７ａの取り付け部２８，２９は、図３、図５（ａ）等から分かるように、受け入れ部本体２７ｂの投影平面内、即ち図５（ｂ）において、挿入されるカード３１と上下方向に重なるように配置されている。カードコネクタ２７のカード挿入部２７ａ側は、取り付け部２８，２９に設けたネジ穴にプリント基板２３の表面側から止めビス２９ａを捩じ込むことで固定される。カードコネクタ２７の接点部３０側は、取り付け部５１，５２により受け入れ部本体２７ｂとプリント基板２３との間に所定距離を確保した状態で、接点部３０がプリント基板２３の配線パターンに半田接続されて固定される。プリント基板２３には、カードコネクタ２７との空間を用いて電子部品が搭載される。前述した電池蓋２１を開くと、カードコネクタ２７のカード挿入部側２７ａが露出し、同時に、電池蓋２１に設けられた接点が電池から離れる。カード３１は、電池蓋２１を開き電池の接続が遮断された状態で、電池の着脱と同方向に、カードコネクタ２７から抜き差しできる。
【００１３】
また、ボディ本体２の側面１５には、図３に示されるように、撮影レンズ部３を回動可能に支持するための軸受け板３３が設けられると共に、この軸受け板３３の軸受けに軸支され、撮影レンズ部３と一体的に回動する回転部材３５が設けられる。この回転部材３５は、撮影レンズ部３を着脱自在とすると共に、ボディ本体２と撮影レンズ部３との間を電気的に接続するためのものである。また、ボディ本体２内には、両者間の電気的結線のために、フレキシブル配線４２（図４参照）が、後述する延長部４０の周りに巻回するごとく設けられている（詳細は後述）。なお、フレキシブル配線４２の一端部４２ｂはプリント基板２３上の接続コネクタ２３ａに接続される。
【００１４】
図６は撮影レンズ部を回動可能に支持する構成の詳細を示す分解斜視図である。軸受け板３３はボディ本体２にビス３４により固定され、その軸受け部３３ａに軸部材３６の軸部３６ａが摺動軸支される。前記回転部材３５には、軸部材３６の内側に係合するとともにその一部が軸方向に沿って切断されたボス３５ａが形成されており、前記軸部材３６と一体的に組み付けられることで連通部を有する軸部が形成される。この回転部材３５には、補強板３７、接片付きの着脱基板３８がネジ３９により固定され、軸部材３６の側面に当接しボディ本体内方に延びクリック部材の機能を持つ延長部４０が連結され、ネジ４１により回転部材３５のボス３５ａに固定される。これにより、回転側の軸部材３６と延長部４０とが固定側の軸受け板３３をその内外側から挟み込むような状態となる。軸部材３６は軸受け板３３に対し所定の角度範囲でのみ回動を許容される。また、凹部３３ｂと凸部４０ｂとにより、回転にクリック感を付与し、突起４０ｃによりスラスト付勢を行う。軸部材３６と補強板３７とは突起３６ｂと穴３７ｂとの嵌合により回り止めが成され、軸部材３６と延長部４０とは切り欠き３６ｃと突起４０ｄの嵌合により回り止めが成されている。
【００１５】
また、軸部３６ａ内にはボス３５ａの一部が切断されていることで延長部４０との連通部が形成され、延長部４０の周方向には連通部とつながった切り欠き部４０ａが形成されている。ボディ本体２と撮影レンズ部３との間を電気的に結線するフレキシブル配線４２は、補強板３７の穴３７ａ、及び着脱基板３８の穴３８ａを通り、さらに、軸部３６ａの連通部を通り、延長部４０の切り欠き部４０ａから周方向に出て、延長部４０の周りを巻回するような状態で設けられている。なお、フレキシブル配線４２の一端側４２ａの先端部は着脱基板３８の端子に接続され、他端側４２ｂは上述したようにプリント基板２３上の接続コネクタ２３ａに接続される。回転部材３５に開けられた穴３５ｂには、着脱基板３８の接片３８ｂ（後述の図７参照）が臨み、撮影レンズ部３が回転部材３５に装着された時に電気的導通が成されるようになっている。
【００１６】
図７（ａ）（ｂ）は撮影レンズ部３の着脱面の平面図及びボディ本体２側の回転部材３５の着脱面の透視図である。撮影レンズ部３には、上述した回転部材３５の穴３５ｂに臨む着脱基板３８の接片３８ｂに対向した位置にピン接点３ｂが設けられており、撮影レンズ部３が回転部材３５に装着されると、ピン接点３ｂが接片３８ｂに当接し電気的導通が成される。なお、撮影レンズ部３には、回転部材３５との係止部３ａが、回転部材３５には、該係止部３ａが係合される係止部３５ｃが設けられている。
【００１７】
上記のように構成されたディジタルカメラ１は、収納時に、図１に示すように、ボディ本体２に対して撮影レンズ部３を平行にし、撮影時に、図２に示すように、撮影レンズ部３を９０度回転させた状態にて使用する。中間位置で止めても使用可能である。１８０度回転させての使用（セルフタイマー撮影時など）も可能である。液晶モニター４の表示は適宜に正立像になるように切り替わる。図２に示す状態において、ボディ本体２の側面１５に、ＤＣ電源入力端子１６、ディジタル入／出力端子１７などの外部接続端子が露出し、ＤＣ電源を接続したり、画像編集を行うためのコンピュータ等の外部機器を接続して、それらを使用することができる。このように外部接続端子を搭載するのに、ボディ本体２の側面１５を利用したので、ボディ本体２の小型化に伴い、それらの搭載スペースをボディ本体２の外表面に取るための設計に苦慮していたが、その問題が解消される。
【００１８】
また、撮影レンズ部３をボディ本体２に対して回動させても、両者を電気的に接続するフレキシブル配線４２は延長部４０の周りを巻回する形となるだけで、捩れることがなくなり、経時的に疲労することが軽減される。
さらにまた、カードコネクタ２７が、カード３１の受け入れ部本体２７ｂをプリント基板２３に対して所定距離間隔を離して取り付けるための取り付け部２８，２９を有し、これらが受け入れ部本体２７ｂの投影平面内に配置されているので、装置の小型化に伴い狭いスペースであっても、カードコネクタ２７が搭載される周囲部材と干渉することがなくなる。また、受け入れ部本体２７ｂがプリント基板２３に対し所定距離間隔を離して取り付けられるので、プリント基板２３の実装面積を有効利用することができる。
【００１９】
次に、カードコネクタ２７の他の実施形態を説明する。図８（ａ）（ｂ）（ｃ）はそれぞれカードコネクタ２７の下面図、正面図及び側断面図、図９（ａ）（ｂ）（ｃ）はそれぞれ同カードコネクタ２７に電気部品を搭載した状態を示す下面図、正面図及び側断面図である。カードコネクタ２７の下面には、電気部品を実装する配線パターン６１が形成されている。この配線パターン６１のうち、Ａは、ボディ本体２に設けられたプリント基板２３との接続を行なうための接点部の領域であり、Ｂは集積回路６２を接続する領域であり、Ｃはチップ素子６３を接続する領域を示している。この配線パターン６１とプリント基板２３との電気的接続は、領域Ａに配置した異方性導電ゴム６４によって行なう。プリント基板２３側の異方性導電ゴム６４が当接する位置にも領域Ａと同様の導電パターンが形成されている。導電ゴム６４の厚みはプリント基板２３とカードコネクタ２１の間隔より厚くなっており、カードコネクタ２７を固定することにより導電ゴム６４が圧縮され、プリント基板２３の導電パターンとカードコネクタ２７の下面の配線パターン６１との導電状態を保つ。
【００２０】
このような構成にすることにより、カードコネクタ２７とプリント基板２３との間の空間に配置される電気部品の取付面積を倍増することができ、該空間の有効利用が図れる。
【００２１】
なお、本発明は上記実施形態の構成に限られず種々の変形が可能である。例えば、上記では、撮影レンズ部３をボディ本体２に対して回動可能、かつ着脱自在とするために、ボディ本体２の側面１５に軸受け板３３が設けられ、この軸受け板３３の軸受けに回転部材３５が軸支されたものを示したが、軸受け板と軸受けとの関係は、上記と逆であってもよい。また、上記実施例では軸部の軸方向の動きを規制するために、軸部と延長部を複数の部材により形成し、この複数の部材を結合する構成としたが、軸方向の動きを規制する部材を別途に設け、軸部と延長部とを一つの部材としても良い。さらに、延長部から軸方向に対して垂直に延びる部分のフレキシブル配線は、延長部全周を巻回する必要はなく、延長部の切り欠き部が回転により移動する量を吸収できるたわみが発生する長さを有していれば良い。
【００２２】
【発明の効果】
以上のように請求項１の発明によれば、カード受け入れ部本体をプリント基板に対し所定距離間隔を離して取り付けるための取り付け部がカード受け入れ部本体の投影平面内に配置されているので、電子機器装置本体が小型化されてもカードコネクタの取り付け部が邪魔になることがなくなる。また、カード受け入れ部本体をプリント基板に対し所定距離間隔を離して取り付けて、プリント基板の実装面積を有効に使用することが容易に可能となる。
【００２３】
また、請求項２の発明によれば、上記のような構成でなるカードコネクタを備えているので、電子機器装置の小型化が容易に図れる。
【００２４】
また、請求項３の発明によれば、カードコネクタに電気部品を実装するための配線パターンを形成したので、カードコネクタとプリント基板との間に電気部品を配置する取付面積を倍増することができ、空間の有効利用が図れる。
【図面の簡単な説明】
【図１】（ａ）（ｂ）（ｃ）（ｄ）は本発明の一実施形態によるディジタルカメラの背面図、正面図、平面図及び側面図である。
【図２】（ａ）（ｂ）は装置の撮影時における正面図及び側面図である。
【図３】撮影レンズ部を取り外し、かつ、後カバーを取り外した状態でのボディ本体の背面図である。
【図４】図３のＡ−Ａ線断面図である。
【図５】ボディ本体内に設けられるカードコネクタを示す図である。
【図６】撮影レンズ部を回動可能に支持する構成の分解斜視図である。
【図７】（ａ）（ｂ）は撮影レンズ部の着脱面の平面図及びボディ本体側の回転部材の着脱面の透視図である。
【図８】（ａ）（ｂ）（ｃ）はそれぞれカードコネクタの下面図、正面図及び側断面図である。
【図９】（ａ）（ｂ）（ｃ）はそれぞれ同カードコネクタに電気部品を搭載した状態を示す下面図、正面図及び側断面図である。
【符号の説明】
１  ディジタルカメラ（画像撮影装置、電子機器装置）
２  ボディ本体
２３  プリント基板
２７  カードコネクタ
２７ａ  カード挿入部
２７ｂ  受け入れ部本体
２８  取り付け部
２９  取り付け部
３０  接点部
３１  カード
６１  配線パターン
【図１】
0003677756.tif 000002
【図２】
0003677756.tif 000003
【図３】
0003677756.tif 000004
【図４】
0003677756.tif 000005
【図５】
0003677756.tif 000006
【図６】
0003677756.tif 000007
【図７】
0003677756.tif 000008
【図８】
0003677756.tif 000009
【図９】
0003677756.tif 000010